(57)【要約】【課題】  ＩＰネットワークに接続される通信装置において、ファクシミリ部の通信手順であるＴ．３８通信手順の開始前の呼制御であるＨ．３２３等の通信手順の通信時間を短くする。【解決手段】  電話番号とＩＰアドレス・使用ポート番号・短縮機能有無情報を関連付けて格納する電話番号・ＩＰアドレス変換テーブルを設け、これに登録する登録手段を設け、或いは前記登録手段により登録した情報を取得する手段を設け登録できるようにし、前記電話番号・ＩＰアドレス変換テーブルを参照し送信先の通信装置に短縮機能がある場合は、一定の呼制御手順を省略するようにした。【選択図】      図１
2005086314.tif 000002
【特許請求の範囲】
【請求項１】
ＩＰネットワークに接続される通信装置において、
呼制御手順を省略するか否かの設定を行う短縮有無設定手段と、
送信先に対応するポート番号を設定するポート番号設定手段と、
前記送信先と、前記各設定手段にて設定した短縮有無情報とポート番号とを関連付けて格納する変換テーブルを設けたことを特徴とする通信装置。
【請求項２】
送信先の前記変換テーブルから短縮有無情報及びポート番号を取得する取得手段を設けたことを特徴とする請求項１記載の通信装置。
【請求項３】
複数の通信装置と呼制御機能を有するゲートキーパがＩＰネットワークに接続される通信システムにおいて、
前記ゲートキーパに電話番号に対応する短縮有無情報及びポート番号を登録する登録手段を設けたことを特徴とする通信システム。
【請求項４】
ＩＰネットワークに接続される通信装置間の通信方法において、
呼設定信号に短縮機能有無情報を付加して送出し、
非標準機能識別信号を受信したときは、一定の通信手順を省略するようにしたことを特徴とする通信方法。
【請求項５】
ＩＰネットワークに接続される通信装置間の通信方法において、
呼設定信号送信前に擬似初呼トーン信号を送信し、
非標準機能識別信号を受信したときは、一定の通信手順を省略するようにしたことを特徴とする通信方法。
【請求項６】
ＩＰネットワークに接続される通信装置間の通信方法において、
ポート番号決定信号送信前にコネクションレス型プロトコルにより擬似初呼トーン信号を送信し、
非標準機能識別信号を受信したときは、一定の通信手順を省略するとともに以降の通信手順をコネクションレス型プロトコルにより行うことを特徴とする通信方法。
【発明の詳細な説明】
【技術分野】
【０００１】
本発明は、インターネット等のＩＰネットワークに接続するファクシミリ装置（以下、「ＦＡＸ」という）の通信手順に関するものである。
【背景技術】
【０００２】
近年、インターネットを介してＦＡＸ間のファクシミリ通信をリアルタイムに実現するリアルタイム型インターネットファクシミリ通信システム（以下、「インターネットＦＡＸ」という）が提案されＩＴＵ−Ｔ勧告Ｔ．３８通信手順としてまとめられた。前記Ｔ．３８通信手順で定義されたインターネットＦＡＸは、ファクシミリ部の通信手順はＴ．３０通信手順を基本とし、発呼等の接続手順としては、同ＩＴＵ−Ｔ勧告であるＨ．３２３通信手順等を基本として策定されている。
【０００３】
図１０に従来のインターネットＦＡＸにおける呼制御手順としてＨ．３２３を使用した場合の通信手順を示す。まず、Ｈ．３２３通信手順用の制御用として決められているポート番号１７２０を用い、呼制御のＴＣＰチャネルをオープンする（ステップＳ１０１）。そして、ＴＣＰチャネルをオープンした後、送信側通信装置２０ｓより呼設定信号であるＳＥＴＵＰ信号を送出し（ステップＳ１０２）、受信側通信装置２０ｒは前記ＳＥＴＵＰ信号に対し応答信号であるＣＯＮＮＥＣＴ信号を返信する（ステップＳ１０３）。以上のやりとりにより次のＴ．３８通信手順で使用するポート番号等を決定する。
【０００４】
次に、決定されたポート番号（例えば７０００）にてＴＣＰチャネルをオープンし（ステップＳ１０４）、Ｔ．３８通信手順を開始する（ステップＳ１０５）。Ｔ．３８通信手順の終了後は、ＴＣＰチャネルをクローズするとともに（ステップＳ１０６）、送信側通信装置２０ｓが終了を示すＤＥＬＣＯＭＰ信号を送出し（ステップＳ１０７）、呼制御のＴＣＰチャネルをクローズし（ステップＳ１０８）、通信を終了する。従来のインターネットＦＡＸでは以上のような通信手順が採用されていた。
【特許文献１】特開２００２−１７６４６２号公報
【発明の開示】
【発明が解決しようとする課題】
【０００５】
しかしながら、従来のインターネットＦＡＸでは、ファクシミリ部の通信手順であるＴ．３８通信手順の開始前に呼制御であるＨ．３２３通信手順が介在するため、通信時間が長くなるという問題点があった。
【課題を解決するための手段】
【０００６】
本発明は、前述の課題を解決するため以下の構成を採用する。すなわち、ＩＰネットワークに接続される通信装置または通信システムにおいて、呼制御手順を省略するか否かの設定を行う短縮有無設定手段と、電話番号に対応するポート番号を設定するポート番号設定手段と、前記電話番号と短縮有無・ポート番号を関連付けて格納する変換テーブルを設けるようにした。
【発明の効果】
【０００７】
本発明によれば、電話番号とＩＰアドレス・ポート番号・短縮機能有無情報を関連付けて格納する電話番号・ＩＰアドレス変換テーブルを設けたので、短縮機能が有る場合、一定の通信手順を省略でき通信開始時間を短縮することができる。
【発明を実施するための最良の形態】
【０００８】
ＩＰネットワークに接続される通信装置または通信システムにおいて、電話番号とＩＰアドレス・短縮機能有無情報・ポート番号を関連付けて格納する電話番号・ＩＰアドレス変換テーブルを設け、短縮機能が有る場合、一定の通信手順を省略する。
【０００９】
以下、本発明に係る実施形態例を、図面を用いて説明する。なお図面に共通する要素には同一の符号を付す。
【実施例１】
【００１０】
第１の実施形態例の通信装置及びシステムは、電話番号に対応付けてＩＰアドレス、短縮機能有無情報・ポート番号等を登録できるようにしたものである。
【００１１】
（構成）
第１の実施形態例の通信装置のブロック図及びシステム構成を図１に示す。第１の実施形態例の通信システムは、同じ内部構成の送信側通信装置２０ｓと受信側通信装置２０ｒがパケット通信網１６に接続された構成となっている。
【００１２】
そして、通信装置２０は以下のように構成される。すなわち、中央制御用としてのＣＰＵ１、メモリであるＲＯＭ２及びＲＡＭ３、画像処理用として画像情報圧縮・復元部６、ラインメモリ７、画像処理部８がバス４に接続され、操作インタフェイス用としての操作インタフェイス部９、外部インタフェイス用としてのＬＡＮインタフェイス５が同様にバス４に接続された構成となっている。
【００１３】
また、前記画像処理部８には入出力装置として印刷部１１・スキャナ部１２が接続され、操作インタフェイス部９には機構制御部１３と操作・表示部１４が接続され、ＬＡＮインタフェイス５には、ＬＣＵ１０が接続された構成となっている。
【００１４】
ＣＰＵ１は、通信装置２０全体の制御および画データの流れの管理、通信網制御等の総括制御を行うものであり、ＲＯＭ２はそのためのプログラムデータを格納するものである。ＲＡＭ３は、電源ＯＦＦ時も電池等でバックアップされており、プログラム実行上のデータや後述の電話番号・ＩＰアドレス変換テーブル３ａ等を格納するものである。
【００１５】
ＬＡＮインタフェイス５は、ＬＣＵ（ＬＡＮ制御ユニット）１０に接続され、パケット通信網１６を経由し、他の通信装置２０ｓとの通信制御を行うものである。そして、画像情報圧縮・復元部６は、画データを送信する場合に画データを圧縮し、また受信した圧縮画データを復元するものである。
【００１６】
ラインメモリ７は、読み取られた画データまたは受信した画データを格納する記憶部であり、画像処理部８は画データを印刷部１１に送信するための処理及びスキャナ部１２で読み取った画データを取り込むための処理を行うものである。また、機構制御部１３は通信装置を駆動するための駆動部やセンサ等により構成され、操作・表示部１４はファクシミリ通信に関する各種設定を行うとともに、通信装置の状態等を表示するものである。
【００１７】
（動作）
以上の構成により、第１の実施形態例の通信装置及びシステムは、以下のように動作する。まず、通信装置２０内の動作を図１を用いて説明する。
【００１８】
（画データ送受信動作）
原稿の画データを送信する場合は、スキャナ１２で原稿の画像を読み取り、読み取られた画データは画像処理部８で処理され、一旦ラインメモリ７に記憶される。そして、画像情報圧縮・復元部６の圧縮モードに応じてラインメモリ７から読み出されて圧縮され、バス４を通してＲＡＭ３に蓄積され、ＲＡＭ３を送信バッファとしてＬＡＮインタフェイス部５にてパケットのデータに変換され、ＬＣＵ１０を経てパケット通信網１６に送出される。
【００１９】
一方、パケット通信網１６から画データを受信する場合は、受信した画データはＬＣＵ１０を介してＬＡＮインタフェイス部５を経てバス４に出力され、ＲＡＭ３に蓄積された後、データバス４を介して順次、画像情報圧縮・復元部６へ入力される。そして、画像情報圧縮・復元部６で復元された画データはラインメモリ７、画像処理部８を経てプリンタ１１に送られ、記録紙等に記録される。
【００２０】
なお、通信手順はｌＴＵ−Ｔ勧告Ｔ．３８通信手順に従って行われ、送信制御信号の情報はＣＰＵ１によりバス４を介してＬＡＮインタフェイス部５にてパケットデータに変換され、ＬＣＵ１０を経由しパケット通信網１６に送出される。一方、パケット通信網１６から受信した制御信号の情報はＬＣＵ１０を経由しＬＡＮインタフェイス５を経由しバス４に出力されＣＰＵ１に伝達される。
【００２１】
（短縮情報登録の動作）
次に、送信先の電話番号、ＩＰアドレス、短縮機能有無情報、ポート番号の登録動作を説明する。まず、操作者は、操作インタフェイス部９を経由し、送信先のＩＰアドレス、及び内線電話番号の登録を行う。その際、登録するＩＰアドレスはあらかじめ送信先のネットワーク管理者に対して問合せ等を行い取得するのがよい。
【００２２】
以下、電話番号、ＩＰアドレス、短縮機能有無情報、ポート番号の登録動作を、図２の操作説明図を用いて説明する。最初に操作者が登録のために＃１ボタンを押下すると、電話番号の入力を促すメッセージを操作・表示部１４の表示部に表示する（ステップＳ１）。次に、操作者が電話番号を入力すると、ＩＰアドレスの入力を促すメッセージを表示部に表示する（ステップＳ２）。
【００２３】
操作者がＩＰアドレスを入力すると、短縮通信機能を有効にするかどうかを問合せ（ステップＳ３）、操作者がＹＥＳを選択すると、短縮通信機能＝ＯＮを表示するとともに、短縮通信手順の際に用いるポート番号の入力を促す（ステップＳ４）。
【００２４】
そして、操作者がポート番号、例えば７０００を入力し（ステップＳ５）、ＳＥＴボタンを選択すると、登録を完了し、その旨の表示を表示部に表示する（ステップＳ６）。そして。操作者が入力した電話番号とＩＰアドレス・短縮機能有無・ポート番号のデータを関連付けてＲＡＭ３内の電話番号・ＩＰアドレス変換テーブル３ａに登録する。
【００２５】
（通信の動作）
次に、通信の動作例を図１の構成図及び図３の動作フローチャートを用いて説明する。なお、本例は、図１に示すように送信側の通信装置２０ｓと受信側の通信装置２０ｒがそれぞれバケット通信網１６に接続され、通信装置２０ｓと通信装置２０ｒ間で画データを通信する動作例である。
【００２６】
まず、送信原稿をスキャナ１２にセットし、電話番号を入力すると（ステップＳ１０）、電話番号の入力完了を検出後（ステップＳ１１）、ＲＡＭ３に登録されている電話番号・ＩＰアドレス変換テーブル３ａから電話番号に対応するＩＰアドレス、短縮機能有無情報、ポート番号を読み出す（ステップＳ１２）。
【００２７】
そして、読み出された短縮機能有無情報から短縮機能が設定されているどうかを判定し（ステップＳ１３）、短縮機能有の設定が行われている場合は、読み出したポート番号を通信に使用するポート番号として設定し（ステップＳ１４）、Ｔ．３８通信手順の通信チャネルをオープンし（ステップＳ２０）、Ｔ．３８通信手順に移行する（ステップＳ２１）。
【００２８】
一方、ステップＳ１３にて、短縮機能有の設定が行われていないと判断した場合は、Ｈ．３２３通信手順で使用するポート（１７２０）をセットし（ステップＳ１５）、ＴＣＰのチャネルをオープンする（ステップＳ１６）。
【００２９】
次に、受信側通信装置側通信装置２０ｒに呼設定信号であるＳＥＴＵＰ信号を送出し（ステップＳ１７）、受信側通信装置側の通信装置２０ｒからの応答信号であるＣＯＮＮＥＣＴ信号を受信すると（ステップＳ１８）、ＳＥＴＵＰ信号・ＣＯＮＮＥＣＴ信号の情報からＴ．３８通信手順用のポートを決定し（ステップＳ１９）、Ｔ．３８通信手順のチャネルをオープンする（ステップＳ２０）。そして、Ｔ．３８通信手順に移行する（ステップＳ２１）。
【００３０】
なお、ステップＳ１３の判定処理において用いる情報として、短縮機能有無情報を登録することなく、電話番号に対応するポート番号が設定されているかどうかで短縮機能の有無を判定するようにしてもよい。また、ステップＳ１にて送信先指定として電話番号を例とした説明したが、送信先を識別できれば電話番号以外の番号等でもよい。
【００３１】
（第１の実施形態例の効果）
以上述べた第１の実施の形態例によれば、電話番号とＩＰアドレス・短縮機能有無情報・ポート番号を関連付けて格納する電話番号・ＩＰアドレス変換テーブルを設けたので、短縮機能がある場合、一定のＨ．３２３通信手順を省略することができ、通信開始時間を短縮することができる。
【実施例２】
【００３２】
第２の実施形態例の通信装置及びシステムは、送信先通信装置の短縮機能有無情報やポート番号等を取得して、登録できるようにしたものである。
【００３３】
（構成）
第２の実施形態例の通信装置及びシステムの構成は、第１の実施形態例の通信装置及びシステムと同様であるので、簡略化のためにその説明を省略する。
【００３４】
（動作）
第２の実施形態例の通信装置及びシステムは、図１の構成により以下のように動作する。本動作を図４の第２の実施形態例の通信動作フローチャートを用いて詳細に説明する。
【００３５】
まず、Ｈ．３２３通信手順用の制御用として決められているポート番号１７２０を用い、送信側通信装置２０ｓからの呼制御のＴＣＰチャネルをオープンする（ステップＳ３０）。ＴＣＰチャネルをオープンした後、送信側通信装置２０ｓよりＳＥＴＵＰ信号を送出し（ステップＳ３１）、受信側通信装置２０ｒはＳＥＴＵＰ信号に対しＣＯＮＮＥＣＴ信号を返信する（ステップＳ３２）。以上のやりとりにより次のＴ．３８通信手順で使用するポート番号等を決定する。
【００３６】
そして、Ｔ．３８通信手順で使用するポート番号として決定されたポート番号（本例では７０００）にてＴＣＰチャネルをオープンし、Ｔ．３８通信手順を開始する（ステップＳ３３）。Ｔ．３８通信手順では、まず、送信側通信装置２０ｓが受信側通信装置２０ｒに対し、Ｔ．３８通信手順で定義されたヘッダ部を付加し、Ｔ．３０通信手順の信号である初呼トーン（ＣＮＧ）信号を意味するパケット信号（以下、「擬似初呼トーン信号」という）を送出する（ステップＳ３４）。
【００３７】
すると、擬似初呼トーン信号に応答し、受信側通信装置２０ｒは、Ｔ．３８通信手順で定義されたヘッダ部を付加しＮＳＦ（非標準機能識別）信号、ＤＩＳ（デジタル識別）信号をパケットデータに変換し送信側通信装置２０ｓに返送する（ステップＳ３４）。この返送の際には、ＮＳＦ信号に受信側通信装置２０ｒの短縮機能有、使用するポート番号をセットする。なお、以降の各通信においてもＴ．３０通信手順で定義されたヘッダを付加して送信処理を行うのであるが、簡略化のためにヘッダ部の付加についての説明は省略する。
【００３８】
送信側通信装置２０ｓは、受信側通信装置２０ｒからのＮＳＦ信号を受信すると、ＮＳＦ信号に記述された短縮機能の有無、使用するポート番号を読出し、受信側通信装置２０ｒの電話番号と対応付けて電話番号・ＩＰアドレス変換テーブル３ａに格納する（ステップＳ３５）。
【００３９】
そして、送信側通信装置２０ｓは、ＮＳＳ（非標準機能設定）信号に短縮機能有、使用するポート番号をセットし受信側通信装置２０ｒに送信する。受信側通信装置２０ｒは、送信側通信装置２０ｓからの前記ＮＳＳ信号を受信すると、送信側通信装置２０ｓが短縮機能を有することを認識するとともに、受信側通信装置２０ｒの電話番号・ＩＰアドレス変換テーブル３ａに送信側通信装置２０ｓの電話番号と対応付けて短縮機能有、使用するポート番号をセットする（ステップＳ３６）。
【００４０】
送信側通信装置２０ｓは、ＮＳＳ信号の次に、ＴＣＦ（トレーニングチェック）信号を送出する（ステップＳ３７）。受信側通信装置２０ｒはＴＣＦ信号を受信すると、送信側通信装置２０ｓに対しＣＦＲ（受信準備確認）信号を返信する（ステップＳ３８）。送信側通信装置２０ｓはＣＦＲ信号を受信すると、画データの送出に移行し、パケットサイズに画データを分割し、画データ１〜画データＮを順に送出する（ステップＳ３９）。
【００４１】
そして、送信側通信装置２０ｓは、画データの送信を終了すると受信側通信装置２０ｒに対しＥＯＰ（手順終了）信号を送出する（ステップＳ４０）。受信側通信装置２０ｒは画データを正常に受信した後、ＭＣＦ（メッセージ確認）信号を返送する（ステップＳ４１）。送信側通信装置２０ｓは、受信側通信装置２０ｒからのＭＣＦ信号を受信すると、Ｔ．３０通信手順の切断を意味するＤＣＮ（切断命令）信号を送出する（ステップＳ４２）。
【００４２】
そして、Ｔ．３８通信手順用ＴＣＰチャネルをクローズし（ステップＳ４３）、送信側通信装置２０ｓが終了を示すＤＥＬＣＯＭＰ信号を送出し（ステップＳ７）、呼制御のＴＣＰチャネルをクローズし（ステップＳ４４）、通信を終了する。次に、Ｈ．３２３通信手順用のＴＣＰのチャネルをクローズし（ステップＳ４５）、通信を終了する。
【００４３】
以上の通信により送信側通信装置２０ｓ、受信側通信装置２０ｒは双方の電話番号・ＩＰアドレス変換テーブル３ａに短縮機能の有無、使用ポート番号を格納することができるので、次の通信の際には、図３を用いて説明した第１の実施形態例の通信システムのように短縮機能を用いることが可能となる。
【００４４】
なお、以上説明したように、本実施形態例では、送信側通信装置２０ｓ、受信側通信装置２０ｒ双方が互いの短縮機能有無情報やポート番号等を取得することができるので、図２を用いて説明した第１の実施形態例の操作として送信側通信装置２０ｓ自信の電話番号、ＩＰアドレス、短縮機能有無、ポート番号等を入力し、電話番号・ＩＰアドレス変換テーブル３ａに格納するようにしてもよい。
【００４５】
（第２の実施形態例の効果）
以上述べた第２の実施の形態例によれば、通信手順信号であるＮＳＦ信号、ＮＳＳ信号に短縮機能有、使用ポート等をセットし送受信するようにし、互いに電話番号・ＩＰアドレス変換テーブルに登録するようにしたので、第１の実施形態例の効果に加え、煩わしい登録操作を不要とするとともに、登録間違いによる重大な通信エラーの発生をもなくすことができる。
【実施例３】
【００４６】
第３の実施形態例の通信装置及びシステムは、各通信装置の短縮機能有無情報やポート番号等をゲートキーパに登録し、これを読出し可能とし、送信の際に送信先の前記情報を取得できるようにしたものである。なお、ゲートキーパは、Ｈ．３２３通信手順におけるアドレス変換などを行い、呼制御機能を有するサーバ等で構成されるものである。
【００４７】
（構成）
第３の実施形態例の通信装置及びシステムの構成は、図５に示したように、送信側通信装置２０ｓ及びゲートキーパ２１がＬＡＮ２２を経由しインターネット２３に接続され、受信側通信装置２０ｒが同様にインターネットに接続された構成となっている。
【００４８】
なお、本実施形態例の送信側通信装置２０ｓ及び受信側通信装置２０ｒの構成としては、ゲートキーパ２１に電話番号・ＩＰアドレス変換テーブルを設けるのでＲＡＭ３内の電話番号・ＩＰアドレス変換テーブル３ａを設けない構成としてもよい。その他の構成は第１の実施形態例の通信装置の構成と同様であるので簡略化のためにその説明を省略する。
【００４９】
（動作）
第３の実施形態例の通信装置及びシステムは、以上の構成により以下のように動作する。本動作を図６の通信動作フローチャートを用いて詳細に説明する。
【００５０】
まず、送信原稿をセットし、電話番号を入力すると、ゲートキーパ２１に対し受信側通信装置２０ｒのＩＰアドレスを問合せるＡＲＱ（Ａｄｍｉｓｓｉｏｎ Ｒｅｑｕｅｓｔ）を送出する（ステップＳ５０）。そして、ゲートキーパ２１からの回答であるＡＣＦ（Ａｄｍｉｓｓｉｏｎ Ｃｏｎｆｉｒｍ）を受信した際、短縮機能の有無を確認する（ステップＳ５１）。そして、短縮機能有を検出すると、ポート番号を抽出し、そのポート番号でＴ．３８通信手順用ＴＣＰチャネルをオープンする（ステップＳ５２）。
【００５１】
その後、受信側通信装置２０ｒに対し、Ｔ．３８通信手順の開始を表す擬似初呼トーン信号を送出する（ステップＳ５３）。受信側通信装置２０ｒは擬似初呼トーン信号を受信するとゲートキーパ２１に対し、ＡＲＱ信号を送出し通信許可を求め（ステップＳ５４）、ゲートキーパ２１から通信許可を行う信号であるＡＣＦ信号を受信すると（ステップＳ５５）、送信側通信装置２１ｓに対しＮＳＦ信号を送出し（ステップＳ５６）、引き続きＴ．３８通信手順を行う。
【００５２】
このＴ．３８通信手順は、図４を用いて第２の実施形態例にて説明したステップＳ３５〜Ｓ４２と同様である。そして、Ｔ．３８通信手順を終了すると、ＴＣＰチャネルをクローズする（ステップＳ５８）。
【００５３】
なお、図示していないが、各通信装置の電話番号とＩＰアドレス、短縮機能の有無、ポート番号等の情報のゲートキーパ２１へ登録は、ゲートキーパ２１上のアプリケーションプログラムにより別途各通信装置に対応させ登録するようにしてもよいし、各通信装置の操作・表示部１４の操作により各通信装置側から登録するようにしてもよいし、各通信装置にて登録した電話番号・ＩＰアドレス変換テーブルのデータをゲートキーパ２１より送信要求し取得し登録するようにしてもよい。
【００５４】
（第３の実施形態例の効果）
以上述べた第３の実施の形態例によれば、ゲートキーパ２１に電話番号に対応付け、ＩＰアドレス・短縮機能有無・ポート番号等の登録・読出し手段を設けたので、個々の通信装置に登録・読出し手段を設ける必要がなく、またゲートキーパ２１にて一括した管理を行うことができるので保守性も向上させることができる。
【実施例４】
【００５５】
第４の実施形態例の通信装置及びシステムは、Ｈ．３２３通信手順のおける呼設定信号（ＳＥＴＵＰ信号）を用いて短縮機能情報要求を行うようにしたものである。
【００５６】
（構成）
第４の実施形態例の通信装置及びシステムの構成は、第１の実施形態例の通信装置及びシステムと同様であるので、簡略化のためにその説明を省略する。なお、第４の実施形態例の通信装置は、ＳＥＴＵＰ信号に付加された短縮機能情報要求を認識すると、ＮＳＦ信号を返送し、そのままＴ．３８通信手順に移行する機能を有する。
【００５７】
（動作）
以上の構成により、第４の実施形態例の通信システムは、以下のように動作する。本動作を図７の通信動作フローチャートを用いて詳細に説明する。ステップＳ６０〜Ｓ６４は、第１の実施形態例（図３）のステップＳ１０〜Ｓ１２、Ｓ１５〜Ｓ１７と同様であるので簡略化のためにその説明を省略する。
【００５８】
なお、第４の実施形態例の通信システムでは、送信先の通信装置２０ｒからの返信信号により送信先通信装置２０ｒの短縮機能の有無を判定するため、第１の実施形態例のような電話番号・ＩＰアドレス変換テーブル３ａの短縮機能情報の参照は行わないようにしている。
【００５９】
次に、送信側通信装置２０ｓは、送信先の通信装置２０ｒが短縮機能を有するかどうかを判断するための短縮機能情報要求付ＳＥＴＵＰ信号を送出する（ステップＳ６５）。ここで、短縮機能情報要求付ＳＥＴＵＰ信号は、例えばＳＥＴＵＰ信号フォーマットにおけるオプションの予め決めたオクテットを用いて行えばよい。
【００６０】
すると、受信側通信装置２０ｒが、短縮機能がなく通常通信装置の場合は、Ｈ．３２３通信手順（図４）に従いＣＯＮＮＥＣＴ信号を送出する。一方、受信側通信装置２０ｒが、短縮機能を有し短縮機能情報要求を認識できる通信装置の場合は、通信手順を簡略化しＮＳＦ（非標準機能識別）信号を送出する。
【００６１】
従って、送信側通信装置２０ｓが受信側通信装置２０ｒから前記ＮＳＦ信号を受信した場合は、受信側通信装置２０ｒが短縮機能を有する通信装置と判断できるので（ステップＳ６６）、ＮＳＳ信号を返送し（ステップＳ６７）、Ｔ．３８短縮通信手順に移行する（ステップＳ６８）。
【００６２】
送信側通信装置２０ｓが受信側通信装置２０ｒからＣＯＮＮＥＣＴ信号を受信した場合は、受信側通信装置２０ｒが通常の通信装置であり、短縮機能がないと判断し（ステップＳ６９）、第１の実施形態例のステップＳ１９〜Ｓ２１（図３）と同様に、ＳＥＴＵＰ、ＣＯＮＮＥＣＴ信号からポート番号を抽出しＴ．３８通信手順を開始する（ステップＳ７０〜７２）。
【００６３】
一方、ＮＳＦ信号もＣＯＮＮＥＣＴ信号も一定時間返送されて来ない場合は、受信側通信装置２０ｒが通信不能な状態であると判断し、通信エラー処理を行う。
【００６４】
（第４の実施形態例の効果）
以上述べた第４の実施の形態例によれば、Ｈ．３２３通信手順の呼設定信号に短縮機能情報要求を付加するようにしたので、受信側通信装置２０ｒに短縮機能が有る場合、通信手順を大幅に短縮することができる。
【実施例５】
【００６５】
第５の実施形態例の通信装置及びシステムは、Ｈ．３２３用ＴＣＰチャネルオープン後、擬似初呼トーン信号を送信することによりＨ．３２３通信手順を短縮するようにしたものである。
【００６６】
（構成）
第５の実施形態例の通信装置及びシステムの構成は、第１の実施形態例の通信装置及びシステムと同様であるので、簡略化のためにその説明を省略する。なお、第５の実施形態例の通信装置は擬似初呼トーン信号を受信すると、ＮＳＦ信号を返送し、そのままＴ．３８通信手順に移行する機能を有する。
【００６７】
（動作）
以上の構成により、第５の実施形態例の通信システムは、以下のように動作する。本動作を図８の通信動作フローチャートを用いて詳細に説明する。なお、ステップＳ８０〜Ｓ８４の、送信原稿をセットし電話番号を入力し、電話番号・ＩＰアドレス変換テーブル３ａから電話番号に対応するＩＰアドレスを読出し、Ｈ．３２３用ＴＣＰチャネルをオープンする動作は第１の実施形態例のステップＳ１０〜Ｓ１２、Ｓ１５〜Ｓ１６（図３）と同様であるので簡略化のためにその詳細な説明を省略する。
【００６８】
次に、送信側通信装置２０ｓは、受信側通信装置２０ｒに対して擬似初呼トーン信号を送出した後（ステップＳ８５）、ＮＳＦ信号受信か否かの判定を行う（ステップＳ８６）。受信側通信装置２０ｒが短縮機能を有する通信装置の場合は、擬似初呼トーン信号受信によりＮＳＦ信号を発信するので、ＮＳＦ信号を受信した場合は、そのままＴ．３８通信手順に移行し、ＮＳＳ信号を送出し（ステップＳ８７）、Ｔ．３８短縮通信手順に移行する（ステップＳ８８）。
【００６９】
一方、ステップＳ８６にて一定時間ＮＳＦ信号を受信しない場合は、受信側通信装置２０ｒが短縮機能を有しない通常の通信装置であると判断し（ステップＳ８９）、Ｈ．３２３通信手順に従い第１実施形態例のステップＳ１７〜Ｓ２１（図３）と同様にＳＥＴＵＰ信号を送出し、ＣＯＮＮＥＣＴ信号の受信を判定し、Ｈ．３８のポート番号を取得し、Ｔ．３８通信チャネルをオープンしＴ．３８通信を行う（ステップＳ９０〜Ｓ９３）。
【００７０】
（第５の実施形態例の効果）
以上述べた第５の実施の形態例によれば、Ｈ．３２３用ＴＣＰチャネルオープン後、擬似初呼トーン信号を送信することによりＨ．３２３通信手順を短縮するようにしたので、受信側通信装置２０ｒに短縮機能が有る場合、通信手順を大幅に短縮することができる。
【実施例６】
【００７１】
第６の実施形態例の通信装置及びシステムは、ＵＤＰ（ユーザ・データグラム・プロトコル）プロトコルを用いてＴ．３８通信手順を行うことができるようにしたものである。ここで、ＴＣＰプロトコルがパケット等に欠如がないかどうかを判定し欠如が有る場合は再送要求を行うコネクション型プロトコルに対し、ＵＤＰプロトコルは、ＵＤＰセグメントフォーマットにポート番号以外に機能的な情報をもたず再送要求を行わないプロトコルであり、欠如等が発生しにくい通信環境にて高速に通信を行う場合に使用するコネクションレス型プロトコルである。
【００７２】
（構成）
第６の実施形態例の通信装置及びシステムの構成は、第１の実施形態例の通信装置及びシステムと同様であるので、簡略化のためにその説明を省略する。なお、第６の実施形態例の通信装置は、ＵＤＰプロトコルにより擬似初呼トーン信号を受信するとＮＳＦ信号を返送し、そのまま、ＵＤＰプロトコルによりＴ．３８通信手順に移行する機能を有する。
【００７３】
（動作）
以上の構成により、第６の実施形態例の通信システムは、以下のように動作する。本動作を図９の通信動作フローチャートを用いて詳細に説明する。なお、ステップＳ１００〜Ｓ１０３の、送信原稿をセットし電話番号を入力し、電話番号・ＩＰアドレス変換テーブル３ａから電話番号に対応するＩＰアドレスを読出し、Ｈ．３２３用ポートをセットするまでの手順は第１の実施形態例（図３）のステップＳ１０〜Ｓ１２、Ｓ１５までと同様であるので簡略化のためにその詳細な説明を省略する。
【００７４】
次に、送信側通信装置２０ｓは、受信側通信装置２０ｒに対してＵＤＰプロトコルにより擬似初呼トーン信号を送出し（ステップＳ１０４）、ＮＳＦ信号受信か否かの判定を行う（ステップＳ１０５）。受信側通信装置２０ｒが短縮機能を有する通信装置の場合は、ＵＤＰプロトコルによる擬似初呼トーン信号受信によりＮＳＦ信号を発信するので、ＮＳＦ信号を受信した場合は、そのままＵＤＰプロトコルによりＴ．３８通信手順に移行し、ＮＳＳ信号を送出し（ステップＳ１０６）、Ｔ．３８短縮通信手順に移行する（ステップＳ１０７）。
【００７５】
一方、ステップＳ１０５にて一定時間ＮＳＦ信号を受信しない場合は、受信側通信装置２０ｒが短縮機能を有しない通常の通信装置であると判断し（ステップＳ１０８）、Ｈ．３２３用ＴＣＰチャネルをオープンし（ステップＳ１１０）、第１実施形態例のステップＳ１７〜Ｓ２１（図３）と同様にＳＥＴＵＰ信号を送出しＣＯＮＮＥＣＴ信号の受信を判定し、Ｈ．３８のポート番号を取得し、Ｔ．３８通信チャネルをオープンしＴ．３８通信を行う（ステップＳ１１０〜Ｓ１１４）。
【００７６】
（第６の実施形態例の効果）
以上述べた第６の実施の形態例によれば、Ｈ．３２３用ポートをセットした後、ＵＤＰプロトコルにより擬似初呼トーン信号送信することによりＨ．３２３通信手順を短縮するようにしたので、受信側通信装置２０ｒに短縮機能が有る場合、通信手順を短縮できるとともに、より高速な通信を行うこともできる。
【産業上の利用可能性】
【００７７】
以上述べたように、本発明は、インターネット等のＩＰネットワークに接続するインターネットＦＡＸ、及びそのシステムとしてのインターネットＦＡＸシステムに広く用いることができる。
【図面の簡単な説明】
【００７８】
【図１】実施形態例の通信装置のブロック図及びシステム構成図である。
【図２】第１の実施形態例の操作説明図である。
【図３】第１の実施形態例の動作フローチャートである。
【図４】第２の実施形態例の通信手順である。
【図５】第３の実施形態例の通信装置のシステム構成図である。
【図６】第３の実施形態例の通信手順である。
【図７】第４の実施形態例の動作フローチャートである。
【図８】第５の実施形態例の動作フローチャートである。
【図９】第６の実施形態例の動作フローチャートである。
【図１０】従来の通信装置の通信手順である。
【符号の説明】
【００７９】
３    ＲＡＭ
３ａ  電話番号・ＩＰアドレス変換テーブル
５    ＬＡＮインタフェイス
１４  操作・表示部
１６  パケット通信網
２０  通信装置
２１  ゲートキーパ
２２  ＬＡＮ
２３  インターネット
【図１】
2005086314.tif 000003
【図２】
2005086314.tif 000004
【図３】
2005086314.tif 000005
【図４】
2005086314.tif 000006
【図５】
2005086314.tif 000007
【図６】
2005086314.tif 000008
【図７】
2005086314.tif 000009
【図８】
2005086314.tif 000010
【図９】
2005086314.tif 000011
【図１０】
2005086314.tif 000012